(57)【要約】【課題】長さや径の異なる大量のチェーンをきわめてコンパクトに収納（保管）でき、しかもきわめて効率的にかつ安全に運搬できるチェーン収納パレットを提供する。【解決手段】各コーナ部に支柱１をそれぞれ立設し、各支柱１，１間に下横枠２と上横枠３をそれぞれ水平に架け渡す。左右方向に隣接する下横枠２，２間に中枠４を架け渡し、各下横枠２と上横枠３間に縦桟部材５を所定間隔おきに立設する。下横枠２と中枠４とからなる床骨組の上に底板６を張り付け、各支柱１と下横枠２と上横枠３とからなる各側骨組の内側に側板７を四周連続して張り付ける。上下方向に隣接する各縦桟部材５，５間にチェーン８を巻き掛けて載置する竿部材９をそれぞれ架け渡す。【選択図】　　　　　　　　図１
2004092174.tif 000002
【特許請求の範囲】
【請求項１】
チェーン収納パレットであり、箱状に形成され、その対向する側部に縦桟部材がそれぞれ所定間隔おきに立設され、かつ対向する前記各縦桟部材間にチェーンを載置する竿部材がそれぞれ架け渡されてなることを特徴とするチェーン収納パレット。
【請求項２】
竿部材は対向する各縦桟部材間に複数段に架け渡されてなることを特徴とする請求項１記載のチェーン収納パレット。
【請求項３】
吊り金具が取り付けられてなることを特徴とする請求項１または２記載のチェーン収納パレット。
【請求項４】
チェーンを束ねる結束金具が用いられていることを特徴とする請求項１〜３のいずれかに記載のチェーン収納パレット。
【発明の詳細な説明】
【０００１】
【発明の属する技術分野】
本願発明はチェーン収納パレットに関し、主に建築土木工事で大量に用いられる仮設用のチェーンをきわめてコンパクトに収納（保管）でき、しかもきわめて効率的にかつ安全に運搬できるものである。
【０００２】
【従来の技術】
一般に、建設工事や土木工事では、型枠の結束材や吊り足場の吊り材として長さや太さの異なるチェーンが多く用いられているが、この種のチェーンをまとめて特定の場所に収納したり、運搬したりするための手段は特になく、特に建設現場などでは、ほとんどの場合、簡単に束ねて一カ所にまとめておいたり、また束ねたものをクレーンで吊って持ち運びしているのが現状であった。
【０００３】
【発明が解決しようとする課題】
しかし、建設工事などで用いられるチェーンは、一般に非常に重く、また形が定まりにくく荷崩れしやすいため、単に束ねただけでは収納（保管）や持ち運びが非常に面倒なだけでなく、チェーンどうしが絡み合いやすく取り扱いも非常に面倒であった。
【０００４】
また、例えば図６に図示するように、チェーンをクレーンで吊って運搬する場合などに、チェーンが地上にずり落ちるおそれがあり、運搬作業の安全性にも問題があった。
【０００５】
本願発明は以上の課題を解決するためになされたもので、長さや径の異なる大量のチェーンをきわめてコンパクトに収納（保管）でき、しかもきわめて効率的にかつ安全に運搬できるチェーン収納パレットを提供することを目的とする。
【０００６】
【課題を解決するための手段】
請求項１記載のチェーン収納パレットは、チェーン収納パレットであり、箱状に形成され、その対向する側部に縦桟部材がそれぞれ所定間隔おきに立設され、かつ対向する前記各縦桟部材間にチェーンを載置する竿部材がそれぞれ架け渡されてなることを特徴とするものである。
【０００７】
本願発明は、主に建築土木工事で大量に用いられる仮設用のチェーンを収納（保管）および運搬する際に用いられるチェーン収納パレットであり、一度に大量のチェーンをきわめてコンパクトに収納（保管）でき、しかもきわめて効率的にかつ安全に運搬できるものである。本願発明の場合、チェーンは竿部材に竿部材を跨ぐような状態に載置される。
【０００８】
請求項２記載のチェーン収納パレットは、請求項１記載のチェーン収納パレットにおいて、竿部材は対向する桟部材間に複数段に架け渡されてなることを特徴とするものである。本願発明は、特に限られた狭いスペースに大量のチェーンを収納する際に適している。
【０００９】
請求項３記載のチェーン収納パレットは、請求項１または２記載のチェーン収納パレットにおいて、吊り金具が取り付けられてなることを特徴とするものである。本願発明は、大量のチェーンをパレットごとクレーン等で吊って運搬する際に用いられるもので、特に出荷時や搬入時に適している。
【００１０】
請求項４記載のチェーン収納パレットは、請求項１〜３のいずれかに記載のチェーン収納パレットにおいて、チェーンを束ねる結束金具が用いられてなることを特徴とするものである。
【００１１】
結束金具は鉄筋などから三角形のリング状に形成されたもので、これにチェーンを一本ないし数本ずつ通し、双方を結束ひもで結束することによりチェーンを一本ないし数本ずつ束ねることができる。結束金具を用いることにより形が定まりにくく荷崩れしやすいチェーンの取り扱いが容易になる。なお、結束金具の形状は特に支障がなければ円形または矩形であってもよい。
【００１２】
【発明の実施の形態】
図１〜図３は本願発明に係るチェーン収納パレット（以下「バレット」という）の一例を示し、図において各コーナ部に支柱１がそれぞれ立設され、各支柱１，１間に下横枠２と上横枠３がそれぞれ水平に架け渡されている。
【００１３】
また、図面上、左右方向に隣接する下横枠２，２間に中枠４が架け渡され、各下横枠２と上横枠３間に縦桟部材５が所定間隔おきに立設されている。
【００１４】
こうして平面長方形状の骨組が構成され、そしてその下横枠２と中枠４とからなる床骨組の上に底板６が張り付けられ、かつ各支柱１と下横枠２と上横枠３とからなる各側骨組の内側に側板７が四周連続して張り付けられて浅い箱状に形成されている。
【００１５】
また、図面上、上下方向に隣接する各縦桟部材５，５間に、例えば図２（ａ）〜（ｃ）に図示するようにチェーン８を巻き掛けて載置するための竿部材９がそれぞれ架け渡されている。
【００１６】
支柱１、下横枠２、上横枠３、中枠４および縦桟部材５、さらに竿部材９はいずれも角形鋼管から形成され、底板６と側板７はともに鋼板または鋼製ネットから形成され、かつこれらの部材は溶接またはボルト締めによって組み立てられている。
【００１７】
また、各支柱１は上横枠３および縦桟部材５より高く形成され、その下端部に逆碗形状の沓部１ａが突設され、また上端部には吊り金具１０がそれぞれ取り付けられている。吊り金具１０はシャックル状に形成され、かつ上下方向に回転自在に取り付けられている。
【００１８】
また、各縦桟部材５，５は上横枠３より高く形成され、上端部（上横枠３より上に突出した位置）に竿部材９の端部９ａを連結するための連結金具１１，１１がそれぞれ対向して突設されている。連結金具１１は平行に突出された側板部１１ａ，１１ａと側板部１１ａ，１１ａの下端部間に水平に突設された底板部１１ｂとをそれぞれ有し、側板部１１ａ，１１ａには連結孔１１ｃがそれぞれ形成されている。
【００１９】
そして、側板部１１ａ，１１ａ間に竿部材９の端部９ａが挿入され、かつ側板部１１ａ，１１ａの連結孔１１ｃ，１１ｃとこれに連通して形成された竿部材９端部の連結孔９ｂに連結ボルト１２が締め付けられている。
【００２０】
こうして、各竿部材９の両端部９ａ，９ａが各縦桟部材５，５の上端部に切り離し自在に連結されている。なお、側板部１１ａ，１１ａの下端部間に底板部１１ｂが突設されているため、竿部材９は両端部９ａ，９ａを側板部１１ａ，１１ａ間に挿入するだけで縦桟部材５，５間に架け渡すことができるが、移動の際の安全などを考慮して、竿部材９の両端部９ａ，９ａは連結ボルト１２で連結するのが望ましい。
【００２１】
このような構成において、次に本願発明に係るパレットを用いたチェーンの収納方法と運搬方法について説明する。
【００２２】
チェーンを収納するには、まず、例えば図３（ａ）に図示するようにチェーン８を長さに応じて複数に折り畳み、これを一束として例えば図３（ｂ）に図示するように一束ずつ結束金具１３に通し、結束ひも１４によって結束金具１３に結束する。そして、図２（ａ）〜（ｃ）に図示するように一束ずつ竿部材９に巻き架けて載置する。
【００２３】
また、チェーン８をクレーンで吊って移動するには、例えば図２（ｄ）に図示するように、各支柱１の吊り金具１０，１０に吊りワイヤー１５を架け渡し、この吊りワイヤー１５にクレーン１６のフック１６ａを引っ掛けてパレットごと運搬する。
【００２４】
なお、この場合、各竿部材９の表面にチェーン８のずれ止め（図省略）を突設しておけば、パレットが傾いたとしてもチェーン８が移動して荷崩れを起こすおそれがなく、大量のチェーンをきわめて安全に運搬することができる。ずれ止めとしてはリブや突起などでよい。
【００２５】
結束金具１３はチェーン８を束ねるための治具であり、鉄筋などから例えば図３（ｃ）に図示するような三角形のリング状に形成されている。結束金具１３を用いてチェーン８を一本ないし数本ずつ束ねることで、チェーン８の取り扱いがきわめて容易になり、特に竿部材９に巻き架けて載置した際の荷崩れを防止することができる。また、図３（ｄ）に図示するように人力によるチェーン８の持ち運びもし易くなる。
【００２６】
図４（ａ）〜（ｄ）は、本願発明に係るパレットの他の例を示し、特に各縦桟部材５，５の上端部と中間部に竿部材９が二段に架け渡されている。この場合、各縦桟部材５の上端部と中間部に、竿部材９の端部９ａを連結するための連結金具１１，１１が上下二段に突設されている。このパレットを用いれば一度に大量のチェーン８を収納し、かつ運搬することができる。
【００２７】
また、図４はパレットを二段に重ねられるようにしたものであり、このパレットを用いれば、狭いスペースに大量のチェーン８をきわめてコンパクトに収納することができる。パレットはさらに多く積み重ねることができるが、高くなると不安定になるので、ワイヤーなどで倒れ止めの処置をするのが望ましい。
【００２８】
【発明の効果】
本願発明は以上説明したとおりであり、箱状に形成され、その対向する側部に縦桟部材がそれぞれ所定間隔おきに立設され、かつ対向する前記各縦桟部材間にチェーンを巻き架けて載置する竿部材がそれぞれ架け渡されてなるので、竿部材にチェーンを巻き架けて設置することにより、大量のチェーンをきわめてコンパクトに収納（保管）することができ、またパレットごと大量のチェーンをきわめて効率的に運搬することができる。
【００２９】
また、箱状に形成されているので、クレーン等でチェーンをパレットごと吊って運搬する際に、万一パレットが傾いてチェーンが竿部材からずり落ちたとしても地上まで落ちることはないので、安全面でもすぐれている。
【図面の簡単な説明】
【図１】本願発明のチェーン収納パレットの一例を示し、（ａ）はその平面図、（ｂ）は正面図、（ｃ）は側面図、（ｄ）は一部斜視図である。
【図２】本願発明のチェーン収納パレットの一例を示し、（ａ）はその平面図、（ｂ）は正面図、（ｃ）は側面図、（ｄ）はクレーンで吊った状態を示す正面図である。
【図３】（ａ）はチェーンの平面図、（ｂ）は結束金具で束ねられたチェーンの平面図、（ｃ）は結束金具の斜視図、（ｄ）は結束金具で束ねられたチェーンを持ち運びする状態を示す側面図である。
【図４】本願発明のチェーン収納パレットの一例を示し、（ａ）はその平面図、（ｂ）は正面図、（ｃ）は側面図、（ｄ）はクレーンで吊った状態を示す正面図である。
【図５】本願発明のチェーン収納パレットを積層した状態を示す正面図である。
【図６】クレーンでチェーンを吊って運搬する状態を示す斜視図である。
【符号の説明】
１　支柱
２　下横枠
３　上横枠
４　中枠
５　縦桟部材
６　底板
７　側板
８　チェーン
９　竿部材
１０　吊り金具
１１　連結金具
１２　連結ボルト
１３　結束金具
１４　結束ひも
１５　吊りワイヤー
１６　クレーン
【図１】
2004092174.tif 000003
【図２】
2004092174.tif 000004
【図３】
2004092174.tif 000005
【図４】
2004092174.tif 000006
【図５】
2004092174.tif 000007
【図６】
2004092174.tif 000008